(57)【要約】    【課題】  蓄積装置に記録された映像データの分類を容易することができる記録再生装置及びその制御方法を提供する。    【解決手段】  番組情報発信源から発信された放送番組のジャンルを含む番組情報を受信する受信手段と、放送番組の映像データを蓄積装置に記録させる記録制御手段と、放送番組の映像データの蓄積装置への記録時に、その放送番組について受信手段によって受信された番組情報中のジャンルを蓄積装置における映像データに対応させて記憶する記憶手段と、を備え、蓄積装置に記録された映像データは記憶手段に記憶されたジャンルによって分類される。【選択図】  図２
2006053983.tif 000002
【特許請求の範囲】
【請求項１】
放送番組の映像データを記録するための蓄積装置を内蔵し、前記蓄積装置に記録された映像データを再生して映像信号として出力する記録再生装置であって、
番組情報発信源から発信された放送番組のジャンルを含む番組情報を受信する受信手段と、
前記放送番組の映像データを前記蓄積装置に記録させる記録制御手段と、
前記放送番組の映像データの前記蓄積装置への記録時に、その放送番組について前記受信手段によって受信された番組情報中のジャンルを前記蓄積装置における映像データに対応させて記憶する記憶手段と、を備え、
前記蓄積装置に記録された映像データは前記記憶手段に記憶されたジャンルによって分類されることを特徴とする記録再生装置。
【請求項２】
前記受信手段は、前記番組情報発信源から発信された番組情報が重畳された放送波を受信するチューナ部と、
前記チューナ部によって受信された前記放送波の受信信号から前記番組情報を取得して保存する番組情報取得部と、を備えたことを特徴とする請求項１記載の記録再生装置。
【請求項３】
前記記憶手段は、前記蓄積装置の記録領域の一部の管理データ記録領域に、前記ジャンルを含む番組情報を管理データとして記憶し、
前記記録制御手段は、前記放送番組の映像データを前記蓄積装置の前記管理データ記録領域とは異なる主データ記録領域に記録させ、
前記管理データには前記主データ記録領域における前記放送番組の映像データの書込位置が含まれることを特徴とする請求項１記載の記録再生装置。
【請求項４】
前記記録制御手段は、前記放送番組の映像データを前記蓄積装置に記録させる際にその映像データに前記受信手段によって受信された番組情報に含まれるタイトルを割り当てることを特徴とする請求項１記載の記録再生装置。
【請求項５】
前記蓄積装置に記録された映像データは前記タイトル単位で前記記憶手段に記憶されたジャンルによって分類されることを特徴とする請求項４記載の記録再生装置。
【請求項６】
前記蓄積装置に記録された映像データに割り当てられたタイトルのうちの任意のジャンルに対応したタイトルを検索する検索手段を備えたことを特徴とする請求項１、４及び５のいずれか１記載の記録再生装置。
【請求項７】
前記チューナ部による放送波の受信信号をディジタル化するＡ／Ｄ変換器と、
前記Ａ／Ｄ変換器の出力信号を圧縮して前記放送番組の映像データを出力するエンコーダと、
前記蓄積装置に記録された映像データを伸張するデコーダと、
前記デコーダの出力信号をアナログ化するＤ／Ａ変換器と、を備えたことを特徴とする請求項１又は２記載の記録再生装置。
【請求項８】
放送番組の映像データを内蔵の蓄積装置に記録し、前記蓄積装置に記録された映像データを再生して映像信号として出力する記録再生装置の制御方法であって、
番組情報発信源から発信された放送番組のジャンルを含む番組情報を受信し、
前記放送番組の映像データの前記蓄積装置への記録時に、その放送番組について前記受信手段によって受信された番組情報中のジャンルを前記蓄積装置における映像データに対応させて記憶し、
前記蓄積装置に記録された映像データをその記憶したジャンルによって分類することを特徴とする制御方法。
【発明の詳細な説明】
【技術分野】
【０００１】
本発明は、映像データを内蔵の蓄積装置に記録し、その記録した映像データを再生する記録再生装置及びその制御方法に関する。
【背景技術】
【０００２】
ＤＶＤレコーダ等の記録再生装置では、放送番組を例えば、２４時間分だけ蓄積装置としての内蔵のハードディスクドライブ装置にデータとして録画して置き、後でユーザがその録画された番組の中から任意の番組を選択して視聴することができる。また、内蔵のハードディスクドライブ装置に録画された番組のデータはＤＶＤ等の記録媒体にユーザによる入力操作に応じて選択的に複写（コピー）又は移動させることができるようにされている。
【発明の開示】
【発明が解決しようとする課題】
【０００３】
かかる記録再生装置では蓄積装置が大容量になるほど多くの放送番組が映像データとして蓄積装置に記録される。よって、蓄積装置に大量の放送番組の画像データが記録された後で録画再生やＤＶＤ等の記録媒体に選択的に複写する場合に、ユーザの好みの番組が容易に検索できるように映像データが分類される必要があるが、ユーザがそれを自ら分類することはほとんど不可能である。
【０００４】
本発明が解決しようとする課題には、上記の問題点が一例として挙げられ、蓄積装置に記録された映像データの分類を容易することができる記録再生装置及びその制御方法を提供することが本発明の目的である。
【課題を解決するための手段】
【０００５】
請求項１に係る本発明の記録再生装置は、放送番組の映像データを記録するための蓄積装置を内蔵し、前記蓄積装置に記録された映像データを再生して映像信号として出力する記録再生装置であって、番組情報発信源から発信された放送番組のジャンルを含む番組情報を受信する受信手段と、前記放送番組の映像データを前記蓄積装置へ記録させる記録制御手段と、前記放送番組の映像データの前記蓄積装置への記録時に、その放送番組について前記受信手段によって受信された番組情報中のジャンルを前記蓄積装置における映像データに対応させて記憶する記憶手段と、を備え、前記蓄積装置に記録された映像データは前記記憶手段に記憶されたジャンルによって分類されることを特徴としている。
【０００６】
請求項８に係る本発明の記録再生装置の制御方法は、放送番組の映像データを内蔵の蓄積装置に記録し、前記蓄積装置に記録された映像データを再生して映像信号として出力する記録再生装置の制御方法であって、番組情報発信源から発信された放送番組のジャンルを含む番組情報を受信し、前記放送番組の映像データの前記蓄積装置への記録時に、その放送番組について前記受信手段によって受信された番組情報中のジャンルを前記蓄積装置における映像データに対応させて記憶し、前記蓄積装置に記録された映像データをその記憶したジャンルによって分類することを特徴としている。
【発明を実施するための最良の形態】
【０００７】
以下、本発明の実施例を図面を参照しつつ詳細に説明する。
【０００８】
図１は本発明を適用した記録再生装置としてＤＶＤレコーダを示している。このＤＶＤレコーダ１は、図１に示すように、ＴＶチューナ１１、Ａ／Ｄ変換器１２、エンコーダ１３、番組情報取得部１４、制御部１５、表示部１６、操作部１７、リモートコントローラ（以下、リモコンと称する）１８、受光部１９、ＨＤＤ（ハードディスクドライブ）装置２０、ＤＶＤドライブ装置２１、メモリ２２、デコーダ２４、Ｄ／Ａ変換器２５及び表示メニュー作成部２６からなる。
【０００９】
ＴＶチューナ１１はアンテナ入力端子３１に接続され、そこに接続されるアンテナ（図示せず）を介してテレビ放送波を制御部１５による制御によって選択的に受信しその受信信号を復調してアナログの映像信号及び音声信号を出力する。ＴＶチューナ１１の出力はＡ／Ｄ変換器１２に接続されている。Ａ／Ｄ変換器１２はＴＶチューナ１１から出力されるアナログの映像信号及び音声信号をディジタル化する。また、Ａ／Ｄ変換器１２は外部映像及び音声入力端子３２及び３３に接続され、そこに供給されるアナログの映像信号及び音声信号をディジタル化する。Ａ／Ｄ変換器１２の出力はエンコーダ１３に接続されている。エンコーダ１３はＡ／Ｄ変換器１２から供給されるディジタル化された映像信号及び音声信号を例えば、ＭＰＥＧ形式の圧縮データに変換する。
【００１０】
番組情報取得部１４はＴＶチューナ１１に接続されており、特定チャンネルの受信信号中に含まれているＥＰＧ（電子番組案内）等の番組情報、すなわち放送波に重畳されている番組情報を抽出してその抽出した番組情報をデータとして保存しつつ出力する。番組情報には番組毎に番組タイトル、放送チャンネル、番組のジャンル及び番組の放送日時（放送開始時間及び終了時間を含む）が少なくとも含まれる。また、番組情報取得部１４は例えば、少なくとも１週間分の番組情報を保持する。
【００１１】
エンコーダ１３、番組情報取得部１４、制御部１５、ＨＤＤ装置２０、ＤＶＤドライブ装置２１、メモリ２２、デコーダ２４及び表示メニュー作成部２６は共通のバス２８に接続されている。
【００１２】
エンコーダ１３は圧縮データをバス２８を介して制御部１５、ＨＤＤ装置２０、ＤＶＤドライブ装置２１、メモリ２２及びデコーダ２４のいずれかに供給することができる。
【００１３】
制御部１５は例えば、マイクロコンピュータからなり、予め定められたプログラムに従ってＤＶＤレコーダ１全体を制御する。制御部１５とＴＶチューナ１１との間は図示しない制御ラインによって接続され、ＴＶチューナ１１の受信チャンネルが制御部１５によって制御されるようになっている。
【００１４】
表示部１６、操作部１７及び受光部１９は制御部１５に接続されている。表示部１６は制御部１５からの表示指令に応じてＴＶチューナ１１の受信チャンネルやＨＤＤ装置２０及びＤＶＤドライブ装置２１の記録時間や再生時間を含む記録／再生状態を表示する。操作部６はユーザの入力操作を受け入れてその入力操作に応じた指令を制御部１５に供給する。
【００１５】
リモコン１８は指令内容が予め割り当てられた複数のボタン（図示せず）を有し、いずれかのボタンがユーザによって押圧操作されると、そのボタンに対応した指令内容の指令信号が赤外線によって発せられる。受光部１９はリモコン１８から発せられた赤外線による指令信号を受信してその指令を制御部１５に供給する。
【００１６】
ＨＤＤ装置２０は書き換え可能な固定ディスク（図示せず）による記憶装置であり、制御部１５の書込指示に応じてエンコーダ３から供給される圧縮データを内部の固定ディスクのその書込指示が示すアドレス位置に書き込む。圧縮データの書き込み開始からその終了までがデータの単位区切りとなり、それが圧縮データのファイル（データ片）となる。また、制御部１５の読出指示に応じて固定ディスクからその読出指示によってアドレス指定された記憶位置の圧縮データを読み出してバス２８に出力する。
【００１７】
ＤＶＤドライブ装置２１は、リムーバブル型の記憶装置であり、制御部１５の書込指示に応じてエンコーダ１３又はＨＤＤ装置２０からの圧縮データを光ディスク２９に書き込み可能な装置である。光ディスク２９としては例えば、ＤＶＤ−ＲやＤＶＤ−ＲＷが用いられる。ＤＶＤドライブ装置２１は制御部１５の読出指示に応じて光ディスク２９に書き込まれている圧縮データを読み出すこともできる。
【００１８】
デコーダ２４はバス２８を介してエンコーダ１３、ＨＤＤ装置２０又はＤＶＤドライブ装置２１から供給される圧縮データを伸張してディジタルの映像信号及び音声信号を復元する。復元されたディジタルの映像信号及び音声信号はＤ／Ａ変換器２５に供給されるか或いはバス２８を介して制御部１５に供給される。Ｄ／Ａ変換器２５はディジタルの映像信号及び音声信号をアナログの映像信号及び音声信号に変換して映像及び音声出力端子３４及び３５に供給する。映像及び音声出力端子３４及び３５にはテレビモニタ４や図示しないＶＣＲ（ビデオカセットレコーダ）が接続される。
【００１９】
ＨＤＤ装置２０とＤＶＤドライブ装置２１とは切り替えて用いられる。すなわち、録画動作時及び再生動作時にＨＤＤ装置２０とＤＶＤドライブ装置２１とのうちのいずれの装置が優先されるのかは操作部１７又はリモコン１９からの指令に応じて制御部１５が設定する。
【００２０】
表示メニュー作成部２６は、制御部１５の指令に応じてＨＤＤ装置２０の固定ディスク又はＤＶＤドライブ装置２１にセットされた光ディスク２９に録画された内容に応じてタイトルメニュー表示データを作成する。タイトルメニューとはＨＤＤ装置２０の固定ディスク又はＤＶＤドライブ装置２１にセットされた光ディスク２９に録画された映像の再生可能なタイトル単位のリストであり、そのリストには記録映像がサムネイルサイズの静止画又は動画で含まれる。タイトルメニュー表示データはディジタル映像信号としてＤ／Ａ変換器２５に供給される。Ｄ／Ａ変換器２５は制御部１５からの制御ライン（図示せず）を介した指令に応じてデコーダ２４からのディジタル映像信号に代えて表示メニュー作成部２６の出力ディジタル映像信号を入力し、それをアナログ化する。なお、表示メニュー作成部２６は制御部１５内に形成しても良い。
【００２１】
また、表示メニュー作成部２６は、制御部１５のジャンル表示指令に応じてジャンル一覧を示すジャンル表示データを作成する。ジャンル一覧は記録映像について分類可能なジャンルの種類を示す。
【００２２】
かかる構成のＤＶＤレコーダでは、記録動作においてＴＶチューナ１１で受信された放送波の映像信号及び音声信号がＡ／Ｄ変換器１２によってディジタルの映像信号及び音声信号に変換される。そのディジタルの映像信号及び音声信号はエンコーダ１３によって圧縮化されて圧縮データとなり、その圧縮データはバス２８を介してＨＤＤ装置２０に供給される。制御部１５は図２に示すように、ＨＤＤ装置２０にその供給される圧縮データの書き込みを指示する（ステップＳ１）。ＨＤＤ装置２０は制御部１５の書込指示に応じて圧縮データを固定ディスクの主データ記録領域内のその書込指示が示すアドレス位置に書き込む。
【００２３】
その主データ記録領域内への書き込みが終了すると、制御部１５は番組情報取得部１４から番組情報に応じて管理データを作成して（ステップＳ２）、ＨＤＤ装置２０に管理データの書き込みを指示する（ステップＳ３）。固定ディスクの管理データ記録領域にその書き込んだ圧縮データについての管理データを書き込む。
【００２４】
ＨＤＤ装置２０の固定ディスクには、このように録画が行われる毎に圧縮データとその管理データとが記録される。図３に示すように、圧縮データは固定ディスクの主データ記録領域にファイル単位で書き込まれ、その実際に録画された時間分の映像信号及び音声信号を圧縮したデータである。管理データは管理データ記録領域に書き込まれ、録画毎の圧縮データの識別情報、主データ記録領域における書込位置、記録レート、タイトル、録画日時、録画時間、受信チャンネル（外部入力を含む）及びジャンル等の情報からなる。記録レートはＦｉｎｅ，ＳＰ，ＬＰ，ＥＰ，ＳＬＰ，ＭＮのモードから録画の際にユーザによって選択される。この記録レートの選択はエンコーダ１３による圧縮データ生成の際の圧縮率を指定していることになる。タイトルは固定ディスクに記録される圧縮データの記録単位の名称であり、ユーザによって操作部入力操作によって指定された内容でも良いが、番組情報取得部１４によって管理された番組情報に含まれるものがそのまま管理データには用いられている。なお、図３において、圧縮データＤ１，Ｄ２，Ｄ３，……はファイル単位であり、圧縮データＤ１の管理データがＤ１ｍであり、圧縮データＤ２，Ｄ３，……及び管理データＤ２ｍ，Ｄ３ｍ，……についても同様である。
【００２５】
ＨＤＤ装置２０の固定ディスクに記録された圧縮データをタイトル毎にユーザが確認するためには、リモコン１８のタイトルメニューボタン（図示せず）が操作される。リモコン１８のタイトルメニューボタンの操作によってリモコン１８からのタイトルメニュー表示指令を表す指令信号が受光部１９で受信され、タイトルメニュー表示指令が制御部１５に供給される。制御部１５は図４に示すように、タイトルメニュー表示指令に応じて表示メニュー作成部２６にタイトルメニュー表示データの作成を指令する（ステップＳ１１）。この指令に応答して表示メニュー作成部２６はＨＤＤ装置２０の固定ディスクの管理データを録画日時順に６タイトル分だけ読み出し、かつ主データ記録領域の圧縮データを６タイトル分各々の１画面分読み出してそれをデコードしてそれらの読み出し管理データ及び画面データを用いてタイトルメニュー表示データを作成する。タイトルメニュー表示データを作成すると、表示メニュー作成部２６は制御部１５に対して作成完了通知を送り、それに応答して制御部１５はＤ／Ａ変換器２５にデコーダ２４からのディジタル映像信号に代えて表示メニュー作成部２６の出力ディジタル映像信号を入力するように指令する（ステップＳ１２）。よって、表示メニュー作成部２６の出力ディジタル映像信号がＤ／Ａ変換器２５によってアナログ映像信号に変換され、その映像信号が映像出力端子３４を介してテレビモニタ４に供給される。テレビモニタ４には、例えば、図６に示すようにＨＤＤ装置２０についての６タイトル分のサムネイルサイズの記録映像を有するタイトルメニューが表示される。その６タイトル分の記録映像は例えば、録画が最新のものから、古い順或いはタイトル名の五十音順である。なお、タイトルメニューには各記録映像のタイトル自体は表示されていないが、各記録映像のタイトル、録画日時等の管理データに含まれる情報を表示するようにしても良い。また、１画面に表示されるタイトル数は６タイトルに限定されない。
【００２６】
テレビモニタ４にタイトルメニューが表示されているときにはリモコン１８の上下左右の矢印ボタン（図示せず）をユーザが操作することにより、その操作に応じて制御部１５がカーソルを表示するように表示メニュー作成部２６に指令するので、表示中のタイトルメニューの６タイトル分の記録映像のいずれか１の周囲に特定の色の太枠が付けられてそれがカーソルとして表示される。そのカーソルはリモコン１８のその矢印ボタンが操作されると隣のタイトルの記録映像に移動するので、所望の記録映像の位置にカーソルがあるときにリモコン１８の決定ボタン（図示せず）をユーザが操作することにより表示された所望の記録映像に対応した圧縮データの識別情報が指定される。その後、リモコン１８の再生ボタン（図示せず）をユーザが操作することにより、制御部１５は指定識別情報に応じて再生動作を実行する。再生動作は指定識別情報に対応したＨＤＤ装置２０の書込位置に書き込まれた圧縮データをデコーダ２４及びＤ／Ａ変換器２５によってアナログの映像信号及び音声信号に復元する動作である。再生動作時には、制御部１５の読出指示に応じてＨＤＤ装置２０の固定ディスクの読出指示によってアドレス指定された位置から圧縮データが読み出される。読み出された圧縮データはバス２８を介してデコーダ２４に供給され、そこで伸張されることによってディジタルの映像信号及び音声信号に変換される。更に、そのディジタルの映像信号及び音声信号は、Ｄ／Ａ変換器２５によってアナログの映像信号及び音声信号に変換され、それは映像及び音声出力端子２４及び２５からテレビモニタ４に出力される。
【００２７】
全ジャンルについてのタイトルメニューではなく、特定のジャンルについてタイトルメニューを表示させるためにはジャンル指定の必要がある。制御部１５はステップＳ１２の実行後、リモコン１８のいずれかのボタン操作があったか否かを判別する（ステップＳ１３）。ボタン操作があったならば、例えば、ジャンル選択メニューの表示をさせるためにリモコン１８のジャンルボタン（図示せず）が操作されたか否かを判別する（ステップＳ１４）。ジャンルボタンが操作されたならば、制御部１５は表示メニュー作成部２６に対してジャンル表示データの作成を指令する（ステップＳ１５）。表示メニュー作成部２６は、制御部１５のジャンル表示指令に応じてジャンル一覧を示すジャンル表示データを作成してＤ／Ａ変換器２５に出力する。よって、ジャンル表示データはＤ／Ａ変換器２５によってアナログ映像信号に変換され、その映像信号が映像出力端子３４を介してテレビモニタ４に供給される。テレビモニタ４には、図７に示すようにジャンルの種類が表示される。表示されるジャンルの種類は、全ジャンル、映画、ドラマ、スポーツ、音楽、バラエティ、アニメ及びフリー１〜フリー５である。映画、ドラマ、スポーツ、音楽、バラエティ及びアニメは番組情報取得部１４によって得られる番組情報のジャンルの分類と同一である。このジャンルの種類の表示に従ってユーザは任意のジャンルをリモコン１８の選択操作によって指定することができる。
【００２８】
制御部１５はその選択操作によってジャンルの種類が指定されたか否かを判別し（ステップＳ１６）、指定されたならば、指定された種類のジャンルについて表示メニュー作成部２６にタイトルメニュー表示データの作成を指令する（ステップＳ１７）。この指令に応答して表示メニュー作成部２６はＨＤＤ装置２０の固定ディスクの管理データを検索して指定ジャンルと同一ジャンルの６タイトル分の管理データを録画日時順に読み出し、管理データ中の書込位置に応じてかつ主データ記録領域の圧縮データを６タイトル分各々の１画面分読み出してそれをデコードしてそれらの読み出し管理データ及び画面データを用いてタイトルメニュー表示データを作成する。タイトルメニュー表示データを作成すると、表示メニュー作成部２６は制御部１５に対して作成完了通知を送り、それに応答して制御部１５はＤ／Ａ変換器２５にデコーダ２４からのディジタル映像信号に代えて表示メニュー作成部２６の出力ディジタル映像信号を入力するように指令する（ステップＳ１７）。よって、表示メニュー作成部２６の出力ディジタル映像信号がＤ／Ａ変換器２５によってアナログ映像信号に変換され、その映像信号が映像出力端子３４を介してテレビモニタ４に供給される。テレビモニタ４には、例えば、指定ジャンルがスポーツならば、番組情報でスポーツがジャンルとされた６タイトル分の記録映像を有するタイトルメニューが図６のタイトルメニューと同様の形式で表示される。
【００２９】
また、テレビモニタ４にタイトルメニューがカーソルと共に表示されているときに、図５に示すように、ジャンル変更モードがユーザによってリモコン１８の操作によって指定されると（ステップＳ２１）、制御部１５はジャンル変更モードを実行する。ジャンル変更モードにおいて制御部１５は、表示メニュー作成部２６に対してジャンル表示データの作成を指令する（ステップＳ２２）。この指令は上記のステップＳ１５と同一である。この指令に応じた表示メニュー作成部２６の動作によってテレビモニタ４にはジャンルの種類が表示される。このジャンルの種類の表示に従ってユーザは任意のジャンルをリモコン１８の選択操作によって指定することができる。制御部１５はその選択操作によってジャンルが指定されたか否かを判別し（ステップＳ２３）、指定されたならば、指定された種類のジャンルに管理データを書き換える（ステップＳ２４）。ここで書き換えられる管理データはジャンル変更モード開始直前にテレビモニタ４に表示されているタイトルメニューのうちのカーソル位置の記録映像、すなわち認識情報で特定されるデータについてである。管理データの書き換えが終了した後、表示メニュー作成部２６にタイトルメニュー表示データの出力状態に戻るように指示する（ステップＳ２５）。ステップＳ２５の実行結果によってテレビモニタ４に表示されたタイトルメニューによってジャンルの種類が変更されたことをユーザは確認することができる。
【００３０】
なお、１つの記録映像を複数のジャンルに分類するようにしても良い。例えば、番組情報取得部１４によってＥＰＧに定められたジャンルとユーザによってジャンル変更モードにおいて指定されたジャンルとが管理データに保存され、複数のジャンルのいずれでもそのタイトルを検索することができることになる。
【００３１】
テレビモニタ４にタイトルメニューが表示されているときに、タイトルメニュー表示の終了がユーザによってリモコン１８の操作によって指定されると（ステップＳ２６）、制御部１５はＤ／Ａ変換器２５に表示メニュー作成部２６の出力ディジタル映像信号に代えてデコーダ２４からのディジタル映像信号を入力するように指令する（ステップＳ２７）。これにより、上記した再生動作による再生映像及び音声をテレビモニタ４を介して視聴することができる。
【００３２】
ジャンルの種類のうちフリー１〜５についてはジャンル名を任意の名称に変更することができる。テレビモニタ４にタイトルメニューがカーソルと共に表示されているときに、上記のリモコン１８のモード変更ボタンがユーザによって操作されると、ジャンル名変更モードを選択することができる。ジャンル名変更モードにおいて制御部１５は、フリー１〜５のうちのいずれか１のジャンルをユーザにリモコン１８の操作によって選択させ、その１のジャンルについてユーザにリモコン１８の操作によって文字入力をさせることによりジャンル名の変更を行う。
【００３３】
上記のＨＤＤ装置２０の固定ディスクに圧縮データがタイトル単位でファイルとして記録された録画内容をタイトルメニューとしてテレビモニタ４に表示する動作は、ＤＶＤドライブ装置２１にセットされた光ディスク２９に圧縮データがファイルとして記録された録画内容をタイトルメニューとしてテレビモニタ４に表示する場合についても同様である。リモコン１８のタイトルメニューボタンの操作直前にＨＤＤ装置２０とＤＶＤドライブ装置２１とのいずれがその時点で優先されるのかによってどちらのタイトルメニューが表示されるのかが定まる。
【００３４】
更に、蓄積装置としてハードディスクドライブ装置を備えたＤＶＤレコーダを示したが、記録再生装置はＤＶＤレコーダに限らず、蓄積装置を備えていれば良く、蓄積装置はＤＶＤ等の光ディスクがセットされたドライブ装置或いは半導体メモリ装置であっても良い。
【００３５】
また、上記した実施例においては、タイトルやジャンルを含む管理データはＨＤＤ装置２０の管理データ記録領域に記録されているが、不揮発性の半導体メモリ等の他の記憶装置に記憶させても良い。
【００３６】
更に、上記した実施例においては番組情報発信源は放送局になるが、ジャンルを含む番組情報は放送波から得るのではなく、インターネット等のネットワーク上の番組情報発信サーバから得ても良い。
【００３７】
以上のように、本発明によれば、番組情報発信源から発信された放送番組のジャンルを含む番組情報を受信する受信手段と、放送番組の映像データを蓄積装置に記録させる記録制御手段と、放送番組の映像データの蓄積装置への記録時に、その放送番組について受信手段によって受信された番組情報中のジャンルを蓄積装置における映像データに対応させて記憶する記憶手段とを備え、蓄積装置に記録された映像データは記憶手段に記憶されたジャンルによって分類される。よって、蓄積装置に記録した映像データの分類が自動的に行われるので、ユーザが蓄積装置に記録された映像データを特に分類しなくても済むことなり、また所望のジャンルの記録映像の検索が容易となる。
【図面の簡単な説明】
【００３８】
【図１】本発明による記録再生装置を示すブロック図である。
【図２】図１の装置中の制御部による記録動作を示すフローチャートである。
【図３】固定ディスクの管理データ記録領域及び主データ記録領域を示す図である。
【図４】図１の装置中の制御部によるタイトルメニュー表示動作を示すフローチャートである。
【図５】図４の動作の続き部分を示すフローチャートである。
【図６】テレビモニタに表示されるタイトルメニュー画面である。
【図７】テレビモニタに表示されるジャンル一覧画面である。
【符号の説明】
【００３９】
１  ＤＶＤレコーダ
２  パーソナルコンピュータ
４  テレビモニタ
１４  エンコーダ
１５  制御部
２０  ＨＤＤ装置
２１  ＤＶＤドライブ装置
２４  デコーダ
２６  表示メニュー作成部
【図１】
2006053983.tif 000003
【図２】
2006053983.tif 000004
【図３】
2006053983.tif 000005
【図４】
2006053983.tif 000006
【図５】
2006053983.tif 000007
【図６】
2006053983.tif 000008
【図７】
2006053983.tif 000009